(57)【要約】【課題】携帯電話の送受話機能と補聴器機能の切り替えを自動で行なうことのできる補聴機能付携帯電話を提供すること。【解決手段】ヘッドセット２のイヤホン５が頭部に装着されているか否かを判定手段（センサ２１，ＣＰＵ１４）で自動判定し、イヤホン２が装着され且つ着信のない状況下では補聴制御部１８を作動させてヘッドセット２のイヤホン５と集音器６を補聴器として機能させる。イヤホン２が装着され且つ着信が確認された状況下では主制御部１９を作動させてヘッドセット２のマイク４とイヤホン５をハンズフリー用のマイクおよびイヤホンとして機能させる。ヘッドセット２のイヤホン５が頭部に装着されていない場合には、主制御部１９の作動を許容し、従来と同様に携帯電話本体３の設定に応じ、本体用マイク８および本体用スピーカ９を利用した送受話、あるいは、ヘッドセット２のイヤホン５およびマイク４を利用したハンズフリーの送受話を許容する。【選択図】図１
2008219586.tif 000002
【特許請求の範囲】
【請求項１】
イヤホンを有するヘッドセットと携帯電話本体とからなり、前記ヘッドセットに補聴用の集音器を併設した補聴機能付携帯電話であって、
前記ヘッドセットのイヤホンがユーザの頭部に装着されているか否かを判定する判定手段と、
前記ヘッドセットのイヤホンを受話用のイヤホンとして作動させる主制御部と、
前記集音器によって集音された音を増幅して前記ヘッドセットのイヤホンに送出する補聴制御部と、
前記判定手段によって前記ヘッドセットのイヤホンの装着が確認されない場合には前記主制御部の作動を許容する一方、前記判定手段によって前記ヘッドセットのイヤホンの装着が確認され且つ携帯電話本体への着信が確認されない場合には前記補聴制御部を作動させ、また、前記判定手段によって前記ヘッドセットのイヤホンの装着が確認され且つ携帯電話本体への着信が確認された場合には、ユーザによる応答操作を確認してから送受話が終了するまでの間、前記主制御部を作動させる切替制御部とを備えたことを特徴とする補聴機能付携帯電話。
【請求項２】
前記携帯電話本体に本体用マイクと本体用スピーカを備え、前記切替制御部は、前記補聴制御部が作動する間だけ前記本体用スピーカを非作動とするように構成されていることを特徴とした請求項１記載の補聴機能付携帯電話。
【請求項３】
前記補聴制御部の作動中に携帯電話本体への着信が確認されると、ユーザによる応答操作が確認されるまでの間、前記ヘッドセットのイヤホンを鳴動させる鳴動制御部を併設したことを特徴とする請求項１または請求項２記載の補聴機能付携帯電話。
【請求項４】
前記判定手段は、ユーザの生体反応に基いてイヤホンの装着の有無を判定するように構成されている請求項１，請求項２または請求項３記載の補聴機能付携帯電話。
【請求項５】
前記携帯電話本体から前記ヘッドセットのイヤホンおよび集音器に対して駆動電力を供給する電力供給機能を配備したことを特徴とする請求項１，請求項２，請求項３または請求項４記載の補聴機能付携帯電話。
【発明の詳細な説明】
【技術分野】
【０００１】
本発明は、補聴機能付携帯電話の改良に関する。
【背景技術】
【０００２】
携帯電話の普及が進むにつれ、業務利用だけでなくホームユースにまで利用が拡大している。と同時に、その利用者は健常者だけでなく、耳の不自由な難聴者にとっても重要なコミュニケーション手段として広がりつつある。それは、非常時の通報や位置のリアルタイム確認におけるコミュニケーション手段として有益である一方、難聴者にとっては日常生活で利用している補聴器との同時利用において、ハウリングや機器の重なりによる雑音（所謂衣擦れ音）等の問題を起こしかねない。
【０００３】
これに対してこれまでにも、補聴器の集音マイクをイヤホンと別に設置することで、受話器からの音声を耳の位置とは異なる場所で拾う補聴器が提供されているが、受話器の送話部を口付近に、同時に、受話部を集音部にもってくるなど、大変不自由な操作が必要なだけでなく、機器同士の接触によって雑音を拾うなど、物理的に別であるスピーカーとマイク間で雑音なしに音を伝えることができないため、普及に当たって課題があった。一方、携帯電話は若者を中心に普及してきたこともあり、ハンズフリー機能など携帯電話からの音は、外部音から切り離す方向で機能強化されてきたため、耳の良い人でないとハンズフリーユニットを装着している間は、周囲の音に気づかないことも増えている、という問題があった。
【０００４】
また、補聴器の機能と携帯電話の機能とを組み合わせたものとして、特許文献１に開示されるような難聴者用簡易型携帯電話機が既に提案されている。しかしながら、この難聴者用簡易型携帯電話機は、切替スイッチの操作で携帯電話の機能と補聴器の機能をトレードオフの関係で使い分けるものに過ぎず、切り替えのためのスイッチ操作が面倒であり、また、補聴器の機能を利用している際の着信の通知等に関しても何ら考慮されていない。
【０００５】
このほかにも、携帯電話を多機能化するものとして、特許文献２に開示されるようなヘッドホンステレオアダプタが提案されているが、このものは、ヘッドホンからの音声出力によって着信の確認ができるものの、ヘッドホンステレオの機能と携帯電話のハンズフリー機能の切り替えは飽くまでもユーザが切替スイッチを操作して行う必要があり、操作が煩わしいといった問題がある。
【０００６】
【特許文献１】実用新案登録第３０５０１４７号公報
【特許文献２】特開２００１−２０３７８７号公報
【発明の開示】
【発明が解決しようとする課題】
【０００７】
そこで、本発明の課題は、前記従来技術の不都合を改善し、携帯電話の送受話機能と補聴器機能の切り替えを自動で行なうことのできる補聴機能付携帯電話を提供することにある。
【課題を解決するための手段】
【０００８】
本発明の補聴機能付携帯電話は、イヤホンを有するヘッドセットと携帯電話本体とからなり、前記ヘッドセットに補聴用の集音器を併設した補聴機能付携帯電話であって、前記課題を達成するため、特に、
前記ヘッドセットのイヤホンがユーザの頭部に装着されているか否かを判定する判定手段と、
前記ヘッドセットのイヤホンを受話用のイヤホンとして作動させる主制御部と、
前記集音器によって集音された音を増幅して前記ヘッドセットのイヤホンに送出する補聴制御部と、
前記判定手段によって前記ヘッドセットのイヤホンの装着が確認されない場合には前記主制御部の作動を許容する一方、前記判定手段によって前記ヘッドセットのイヤホンの装着が確認され且つ携帯電話本体への着信が確認されない場合には前記補聴制御部を作動させ、また、前記判定手段によって前記ヘッドセットのイヤホンの装着が確認され且つ携帯電話本体への着信が確認された場合には、ユーザによる応答操作を確認してから送受話が終了するまでの間、前記主制御部を作動させる切替制御部とを備えたことを特徴とする構成を有する。
【０００９】
以上の構成によれば、ヘッドセットのイヤホンがユーザの頭部に装着されているか否かが判定手段によって判定され、イヤホンの装着が確認され且つ携帯電話本体への着信が確認されない場合には切替制御部が補聴制御部を作動させ、ヘッドセットの集音器によって集音された音を増幅してヘッドセットのイヤホンから出力する。また、イヤホンの装着が確認され且つ携帯電話本体への着信が確認された場合には、ユーザによる応答操作を確認してから送受話が終了するまでの間、切替制御部が主制御部を作動させ、ヘッドセットのイヤホンを受話用のイヤホンとして利用した通常の送受話が行われる。この際、送話には携帯電話本体側の本体用マイクを利用することができる。
つまり、ヘッドセットのイヤホンをユーザの頭部に装着した状況下では、補聴機能付携帯電話が実質的な補聴器として機能し、携帯電話本体への着信が確認された場合に限って、ヘッドセットのイヤホンを受話用のイヤホンとして利用した通常の送受話が行われるようになるので、ユーザは、格別な切り替え操作を行うことなく補聴機能付携帯電話の補聴器機能と携帯電話の送受話機能を利用することができる。
また、イヤホンの装着が確認されない場合には、主制御部の作動が許容されるので、携帯電話本体の設定に基いて、ヘッドセットのイヤホンと本体用マイクを利用した送受話、または、携帯電話本体に実装された本体用マイクと本体用スピーカを利用した通常の送受話が可能となる。
【００１０】
携帯電話本体が本体用マイクと本体用スピーカを備えた構成においては、補聴制御部が作動する間だけ本体用スピーカを非作動とするように切替制御部を構成することが望ましい。
【００１１】
携帯電話本体からの音漏れがなくなるので、ヘッドセットの集音器が本体用スピーカの音を拾ってハウリングを起こす問題が解消される。
【００１２】
また、補聴制御部の作動中に携帯電話本体への着信が確認されてからユーザによる応答操作が確認されるまでの間、ヘッドセットのイヤホンを鳴動させる鳴動制御部を併設してもよい。
【００１３】
補聴機能付携帯電話を補聴器として利用している場合であっても携帯電話本体への着信を容易に確認することができる。
【００１４】
また、判定手段は、ユーザの生体反応に基いてイヤホンの装着の有無を判定するように構成することが望ましい。
【００１５】
具体的には、ユーザの生体反応を検出するセンサとしては振動検出センサ，接触センサ，温度センサ，心拍検出センサ等のものが考えられるが、ヘッドセットを頭部から外して携帯電話本体と共にポケット等に仕舞って携行する状況を考えると、特に、頭部への装着の有無の識別性の観点から、接触センサや心拍検出センサ等を利用してイヤホンの装着の有無を判定することが望ましい。
【００１６】
更に、前記携帯電話本体から前記ヘッドセットのイヤホンおよび集音器に対して駆動電力を供給する電力供給機能を配備することもできる。
【００１７】
ヘッドセットのイヤホンおよび集音器は補聴機能を実現するために定常的に電力を消費するが、携帯電話本体からイヤホンおよび集音器に駆動電力を供給することにより、ヘッドセットの補聴機能を長期間に亘って維持することができる。
【発明の効果】
【００１８】
本発明の補聴機能付携帯電話によれば、ユーザは、格別な切り替え操作を行うことなく、ヘッドセットの装着の有無や携帯電話への着信の有無に応じて、補聴機能付携帯電話の補聴器機能と送受話機能を自動的に使い分けることができる。
【発明を実施するための最良の形態】
【００１９】
次に図面を参照して本発明を実施するための最良の形態について具体的に説明する。図１は本発明を適用した一実施形態の補聴機能付携帯電話１の外観について示した平面図である。
【００２０】
補聴機能付携帯電話１はヘッドセット２と携帯電話本体３とからなり、ヘッドセット２には、ハンズフリー送受話用のマイク４とイヤホン５が設けられている。イヤホン５は補聴器の一部としても機能し、ヘッドセット２には、更に、補聴用の集音器６が併設されている。携帯電話本体３は、テンキー等からなるキー操作部７と本体用マイク８、ならびに、本体用スピーカ９と鳴動スピーカ１０を備え、ヘッドセット２と携帯電話本体３は接続コード１１を介して接続されている。接続コード１１は、携帯電話本体３からイヤホン５および集音器６に対して駆動電力を供給する電力供給機能を実現するための電力供給線を内蔵する。あるいは、携帯電話本体３に電力供給用の電波発信機能を設け、接続コード１１内の電力供給線に代えて、電磁波による電力供給を利用して携帯電話本体３からイヤホン５および集音器６に駆動電力を供給するようにしてもよい。
【００２１】
また、図１では補聴器を構成するイヤホン５と集音器６を離間させて実装した例について示したが、イヤホン５と集音器６は、図２（ａ）に示されるように一体化して耳孔内に装着してもよいし、あるいは、図２（ｂ）に示されるように耳に掛けて装着するようにしてもよく、更には、図３に示されるようなヘッドホンタイプとして頭部の両側から耳にフィットさせるようにしてもよい。何れの場合においても、耳に装着する側にイヤホン５を、また、外側に集音器６を実装した構成とする。
【００２２】
図４はヘッドセット２と携帯電話本体３からなる補聴機能付携帯電話１の内部構成を簡略化して示した機能ブロック図である。
【００２３】
携帯電話本体３は、送受話用の本体用マイク８および本体用スピーカ９と着信通知用の鳴動スピーカ１０、ならびに、キー操作部７と着信通知用のバイブレータ２２を備える。
【００２４】
ハンズフリー機能を利用せずに携帯電話本体３を通常の携帯電話として使用する際には、ＣＰＵ１４からの指令で通話制御部１２が作動状態とされ、本体用マイク８から通話制御部１２を介して入力された音声が音声処理部１３でＡ／Ｄ変換されてＣＰＵ１４に転送され、更に、ＣＰＵ１４で通信形式データに変換された後、送受信部１５で変調されて内蔵式もしくは伸縮式のアンテナ１６を介して外部に送信される。また、アンテナ１６で受信された通信電波は送受信部１５で復調されてＣＰＵ１４に転送され、音声データに変換されてから、音声処理部１３でＤ／Ａ変換等の処理操作を受け、通話制御部１２を介して本体用スピーカ９から音声として出力される。
【００２５】
一方、ハンズフリー機能を利用する際には、ＣＰＵ１４からの指令で主制御部１９が作動状態とされ、ヘッドセット２のマイク４から主制御部１９を介して入力された音声が音声処理部１３でＡ／Ｄ変換されてＣＰＵ１４に転送され、更に、ＣＰＵ１４で通信形式データに変換された後、送受信部１５で変調されて内蔵式もしくは伸縮式のアンテナ１６を介して外部に送信される。また、アンテナ１６で受信された通信電波は送受信部１５で復調されてＣＰＵ１４に転送され、音声データに変換されてから、音声処理部１３でＤ／Ａ変換等の処理操作を受け、主制御部１９を介してヘッドセット２のイヤホン５から音声として出力される。
【００２６】
鳴動制御部２０は、ヘッドセット２のイヤホン５を鳴動させてビープ音を出力するためのもので、ＣＰＵ１４からの指令に従ってオン・オフ制御される。
【００２７】
補聴制御部１８は、集音器６によって集音された音を増幅してイヤホン５に送出するための増幅回路を内蔵し、ＣＰＵ１４からの指令に従ってオン・オフ制御される。
【００２８】
キー操作部７は、電話番号入力のためのテンキーやオフフック／オンフック操作のためのキー等を備える。
【００２９】
ＲＯＭ１７には、携帯電話本体３の本体用マイク８および本体用スピーカ９を利用した通常の送受話やヘッドセット２のマイク４およびイヤホン５を利用したハンズフリー状態での送受話、更には、ヘッドセット２の集音器６およびイヤホン５を補聴器として利用する際に必要とされる制御プログラムが格納されている。
【００３０】
センサ２１はユーザの生体反応を検出するための手段である。センサ２１としてはヘッドセット２側に取り付けた振動検出センサ，接触センサ，温度センサ，心拍検出センサ等のものが利用できるが、ヘッドセット２を頭部から外して携帯電話本体３と共にポケット等に仕舞って携行する状況も考えられ、頭部に装着された時の振動状態とポケット等に仕舞われた時の振動状態の相違を明確に識別したり、頭部に装着された時の温度とポケット等に仕舞われた時の温度の相違を明確に識別したりすることは必ずしも容易ではないので、実際には、耳孔に内接したり耳に押圧されたりするイヤホン５に作用する外圧を検出する接触センサや耳孔内あるいは耳の周辺の血管の脈動を検出する心拍検出センサ等を利用することが望ましい。
【００３１】
センサ２１からの検出信号はＣＰＵ１４に入力され、判定手段として機能するＣＰＵ１４によって、ヘッドセット２のイヤホン５がユーザの頭部に装着されているか否かが判定される。
センサ２１として接触センサを利用した場合では、検出された接触圧が閾値を超えた場合にイヤホン５が装着されているものと見做し、また、センサ２１として心拍検出センサを利用した場合では、単位時間当たりに検出された心拍数が閾値を超えた場合にイヤホン５が装着されているものと見做すようにすればよい。
【００３２】
図５は、携帯電話本体３のＣＰＵ１４によって実行される処理のうち、通話制御部１２，補聴制御部１８，主制御部１９，鳴動制御部２０の切り替え制御について示したフローチャートである。
【００３３】
次に、図５を参照して判定手段および切替制御部として機能するＣＰＵ１４の処理動作について具体的に説明する。
【００３４】
携帯電話本体３に電源が投入されると、ＣＰＵ１４は、まず、本体用スピーカ９を作動状態とする（ステップＳ１）。
【００３５】
次いで、判定手段として機能するＣＰＵ１４がセンサ２１からの信号を読み込み、ヘッドセット２のイヤホン５がユーザの頭部に装着されているか否かを判定する（ステップＳ２）。
【００３６】
ここで、イヤホン５がユーザの頭部に装着されていると判定された場合、切替制御部として機能するＣＰＵ１４は、まず、補聴制御部１８を作動させ、補聴器として機能するヘッドセット２の集音器６とイヤホン５および補聴制御部１８内の増幅回路を作動状態とする一方、主制御部１９を非作動として、ハンズフリーユニットとしてのイヤホン５およびマイク４の機能を停止させ、同時に、本体用スピーカ９を非作動状態とする（ステップＳ３）。
この結果、ヘッドセット２の集音器６とイヤホン５および補聴制御部１８内の増幅回路が実質的な補聴器として機能し、ヘッドセット２の集音器６で拾われた外部音が増幅されてイヤホン５から出力されることになる。この際、本体用スピーカ９は非作動状態とされているので、携帯電話本体３からの音漏れはなくなり、ヘッドセット２の集音器６が本体用スピーカ９の音を拾ってハウリングを起こすといった問題が未然に防止される。
【００３７】
次いで、切替制御部として機能するＣＰＵ１４は、携帯電話本体３への着信の有無を判定するが（ステップＳ４）、携帯電話本体３への着信が確認されなければ、ＣＰＵ１４は、ステップＳ２の判定処理でイヤホン５の取り外しが確認されない限り、前記と同様にしてステップＳ２〜ステップＳ４の処理を繰り返し実行し、ヘッドセット２の集音器６とイヤホン５を実質的な補聴器として機能させ続け、この間、本体用スピーカ９を非作動の状態に保持する。
【００３８】
このようにしてステップＳ２〜ステップＳ４の処理が繰り返し実行される間に、携帯電話本体３への着信があったことがステップＳ４の判定処理で確認されると、切替制御部として機能するＣＰＵ１４は、鳴動制御部２０を作動させ、ヘッドセット２のイヤホン５を鳴動させてビープ音を出力すると共に、携帯電話本体３のバイブレータ２２を作動させてユーザに着信の発生を通知する（ステップＳ５）。
【００３９】
次いで、切替制御部として機能するＣＰＵ１４は、携帯電話本体３のキー操作部７に対してユーザによる応答操作つまりオフフック操作が行われたか否かを判定するが（ステップＳ６）、ユーザによる応答操作が確認されなければ、ステップＳ４の判定処理で相手側からの発呼が途絶えたことが確認されない限り、前記と同様にしてステップＳ４〜ステップＳ６の処理を繰り返し実行し、イヤホン５からのビープ音の出力とバイブレータ２２の作動によってユーザに着信の発生を通知し続ける。
【００４０】
そして、ユーザによる応答操作が行われ、このことがステップＳ６の判定処理で確認されると、ステップＳ４〜ステップＳ６のループ処理が終了し、イヤホン５からのビープ音の出力とバイブレータ２２の作動が自動的に停止する。
【００４１】
このようにしてユーザによる応答操作つまりオフフック操作が確認されると、切替制御部として機能するＣＰＵ１４は、補聴制御部１８を非作動とし、補聴器として機能するヘッドセット２の集音器６とイヤホン５および補聴制御部１８内の増幅回路の作動を停止させ、改めて主制御部１９を作動させることで、イヤホン５およびマイク４をハンズフリーユニットとして作動させる（ステップＳ７）。
この結果、ヘッドセット２の機能が補聴器から送受話用のハンズフリーユニットへと自動的に切り替わり、ヘッドセット２のマイク４とイヤホン５を利用したハンズフリーの送受話が可能な状態となる。
【００４２】
次いで、切替制御部として機能するＣＰＵ１４は、携帯電話本体３のキー操作部７に対してユーザによる応答終了操作つまりオンフック操作が行われているか否か、要するに、発呼元と当該ユーザとの間の送受話が終了しているか否かを判定する（ステップＳ８）。
【００４３】
この段階でユーザによる応答終了操作が確認されなければ、判定手段として機能するＣＰＵ１４がセンサ２１からの信号を読み込み、ヘッドセット２のイヤホン５がユーザの頭部から取り外されたか否かを判定するが（ステップＳ９）、イヤホン５がユーザの頭部から外されていなければ、ステップＳ８の判定処理で応答終了操作が確認されない限り、ＣＰＵ１４は、前記と同様にしてステップＳ８，ステップＳ９の判定処理を繰り返し実行しながらイヤホン５およびマイク４を送受話用のハンズフリーユニットとして作動させ続け、ヘッドセット２のマイク４とイヤホン５を利用したハンズフリーの送受話を許容する。
【００４４】
そして、ステップＳ８，ステップＳ９の判定処理が繰り返し実行される間にユーザがオンフック操作によって送受話を打ち切ると、ステップＳ８の判定処理でユーザによる応答終了操作が確認され、ＣＰＵ１４は、携帯電話本体３を着信待ちの状態として初期の待機状態に復帰する。
従って、ヘッドセット２がユーザの頭部に装着されたままであれば、前記と同様にしてステップＳ２，ステップＳ３の処理が実行されることとなる。この結果、補聴制御部１８が作動し、補聴器として機能するヘッドセット２の集音器６とイヤホン５および補聴制御部１８内の増幅回路が作動状態となる一方、主制御部１９が非作動とされて、送受話用のハンズフリーユニットとしてのイヤホン５およびマイク４の機能が停止し、ヘッドセット２の集音器６とイヤホン５および補聴制御部１８内の増幅回路が実質的な補聴器として再び機能することになる。
【００４５】
また、ステップＳ８，ステップＳ９の判定処理が繰り返し実行される間、つまり、ヘッドセット２のマイク４とイヤホン５を利用したハンズフリーの送受話が行われる間に、ステップＳ９の判定処理でイヤホン５の取り外しが確認された場合には、切替制御部として機能するＣＰＵ１４は、補聴制御部１８を作動させ、補聴器として機能するヘッドセット２の集音器６とイヤホン５および補聴制御部１８内の増幅回路を作動状態とする一方、主制御部１９を非作動として、ハンズフリーユニットとしてのイヤホン５およびマイク４の機能を停止させ、ヘッドセット２の集音器６とイヤホン５および補聴制御部１８内の増幅回路が実質的な補聴器として機能する初期の状態に戻す（ステップＳ１０）。
この場合、ユーザは発呼元との送受話を継続しているが、送受話のために携帯電話本体３の本体用マイク８および本体用スピーカ９を利用するか、あるいは、ハンズフリーユニットとしてのイヤホン５およびマイク４を利用するかは、従来と同様に携帯電話本体３の設定に従ったものとなる（ステップＳ１１）。従って、仮に、携帯電話本体３の設定が本体用マイク８および本体用スピーカ９を利用する設定となっておらず、ハンズフリーの設定となっていた場合には、携帯電話本体３の設定を本体用マイク８および本体用スピーカ９を利用する設定に変更することで、本体用マイク８および本体用スピーカ９を利用して発呼元との送受話を継続するこことになる。また、携帯電話本体３の設定が本体用マイク８および本体用スピーカ９を利用する設定となっていた場合には、切り替え操作を行うことなく本体用マイク８および本体用スピーカ９を利用して発呼元との送受話を継続することができる。
【００４６】
このようにして、携帯電話本体３の設定に従った送受話が開始されると、切替制御部として機能するＣＰＵ１４は、携帯電話本体３のキー操作部７に対してユーザによる応答終了操作つまりオンフック操作が行われているか否かを判定する（ステップＳ１２）。そして、ユーザによる応答終了操作が行われていなければ、判定手段として機能するＣＰＵ１４がセンサ２１からの信号を読み込み、イヤホン５がユーザの頭部に改めて装着されたか否かを判定する（ステップＳ１３）。
【００４７】
イヤホン５の再装着が確認されなければ、ステップＳ１２の処理で発呼元と当該ユーザとの間の送受話の終了が確認されない限り、ＣＰＵ１４は、前記と同様にしてステップＳ１２，ステップＳ１３の判定処理を繰り返し実行しながら携帯電話本体３の設定に従った送受話を許容する。この間にステップＳ１２の処理で送受話の終了が確認された場合の処理に関しては前記と同様である。
【００４８】
一方、ステップＳ１２，ステップＳ１３の判定処理を繰り返し実行しながら携帯電話本体３の設定に従った送受話を行う間にヘッドセット２のイヤホン５がユーザの頭部に改めて装着され、このことがステップＳ１３の判定処理で確認されると、切替制御部として機能するＣＰＵ１４は、本体用スピーカ９を非作動の状態とし（ステップＳ１４）、再びステップＳ７の処理へと移行して補聴制御部１８を非作動とし、補聴器として機能するヘッドセット２の集音器６とイヤホン５および補聴制御部１８内の増幅回路の作動を停止させ、改めて主制御部１９を作動させることで、イヤホン５およびマイク４をハンズフリーユニットとして作動させ、ヘッドセット２のマイク４とイヤホン５を利用したハンズフリーの送受話を継続させる。
【００４９】
これに対し、ステップＳ２の判定処理でヘッドセット２のイヤホン５の未装着が確認された場合においては、切替制御部として機能するＣＰＵ１４は、まず、携帯電話本体３への着信の有無を判定する（ステップＳ４）。着信が確認されなければ、ＣＰＵ１４は、ステップＳ２の判定処理でイヤホン５の装着が確認されない限り、前記と同様にしてステップＳ２，ステップＳ１５の処理を繰り返し実行する。
【００５０】
そして、ステップＳ２，ステップＳ１５の処理が繰り返し実行される間に、携帯電話本体３への着信があったことがステップＳ１５の判定処理で確認されると、ＣＰＵ１４は、従来と同様に携帯電話本体３の設定に従ってヘッドセット２のイヤホン５または携帯電話本体３の鳴動スピーカ１０を鳴動させてビープ音を出力すると共に、携帯電話本体３のバイブレータ２２を作動させてユーザに着信の発生を通知する（ステップＳ１６）。
【００５１】
次いで、切替制御部として機能するＣＰＵ１４は、携帯電話本体３のキー操作部７に対してユーザによる応答操作つまりオフフック操作が行われたか否かを判定するが（ステップＳ１７）、ユーザによる応答操作が確認されなければ、ステップＳ１５の判定処理で相手側からの発呼が途絶えたことが確認されない限り、ＣＰＵ１４は、前記と同様にしてステップＳ１５〜ステップＳ１７の処理を繰り返し実行し、ユーザに着信の発生を通知し続ける。
【００５２】
そして、ユーザによる応答操作が行われ、このことがステップＳ１７の判定処理で確認されると、ステップＳ１５〜ステップＳ１７のループ処理が終了し、自動的にビープ音の出力とバイブレータ２２の作動が停止する。
【００５３】
この場合、ヘッドセット２のイヤホン５がユーザの頭部に装着されていないことは既に確認済みであるから、切替制御部として機能するＣＰＵ１４は、主制御部１９の作動を許容した状態でステップＳ１１の処理に移行し、従来と同様に携帯電話本体３の設定に応じ、本体用マイク８および本体用スピーカ９を利用した発呼元との送受話を開始させるか、あるいは、ヘッドセット２のイヤホン５およびマイク４をハンズフリーユニットとして利用した送受話を開始させる。よって、仮に、携帯電話本体３の設定が本体用マイク８および本体用スピーカ９を利用する設定となっておらず、ハンズフリーの設定となっていた場合には、携帯電話本体３の設定を本体用マイク８および本体用スピーカ９を利用する設定に変更することで、本体用マイク８および本体用スピーカ９を利用した発呼元との送受話を開始することが可能である。また、携帯電話本体３の設定が本体用マイク８および本体用スピーカ９を利用する設定となっている場合には、切り替え操作を行うことなく本体用マイク８および本体用スピーカ９を利用して発呼元との送受話を開始することができる。
【００５４】
この場合も、実際の送受話が開始された後の処理に関しては前記と同様であるから、送受話の途中でヘッドセット２のイヤホン５がユーザの頭部に装着された場合においては、この装着操作がステップＳ１３の判定処理によって検出され、本体用スピーカ９が非作動の状態とされてハンズフリーユニットとして機能するイヤホン５およびマイク４が作動するので、ハンズフリーの状態で送受話を継続することができる（ステップＳ１４，ステップＳ７参照）。
【００５５】
以上に述べた通り、この実施形態においては、ヘッドセット２のイヤホン５がユーザの頭部に装着されているか否かがセンサ２１およびＣＰＵ１４からなる判定手段によって判定され、イヤホン５の装着が確認され且つ携帯電話本体３への着信が確認されない場合には切替制御部としてのＣＰＵ１４が補聴制御部１８を作動させて、ヘッドセット２の集音器６によって集音された音を増幅してヘッドセット２のイヤホン５から出力し、ヘッドセット２を実質的な補聴器として機能させることになる（ステップＳ２〜ステップＳ４）。この間、本体用スピーカ９はオフとされているので、集音器６が本体用スピーカ９の音を拾ってハウリングを起こす心配はない。
【００５６】
また、イヤホン５の装着が確認され且つ携帯電話本体３への着信が確認された場合には、ユーザによる応答操作つまりオフフック操作が確認されるまでの間、切替制御部としてのＣＰＵ１４が鳴動制御部２０を作動させてヘッドセット２のイヤホン５を鳴動させてユーザに着信の発生を知らせ（ステップＳ４〜ステップＳ６）、ユーザによるオフフック操作が確認されてからオンフック操作が確認されるまでの間、つまり、送受話が終了するまでの間は、切替制御部としてのＣＰＵ１４が主制御部１９を作動させて、ヘッドセット２のマイク４およびイヤホン５を送受話用のマイクおよびイヤホンとして利用するハンズフリー状態での送受話を許容する（ステップＳ７〜ステップＳ９）。
【００５７】
このように、イヤホン５がユーザの頭部に装着された状況下では、補聴機能付携帯電話１のヘッドセット２が実質的な補聴器として機能し、携帯電話本体３への着信が確認された場合に限ってヘッドセット２のマイク４およびイヤホン５を利用したハンズフリー状態での送受話が行われるようになるので、ユーザは、格別な切り替え操作を行うことなく補聴機能付携帯電話１の補聴器機能とハンズフリー機能を使い分けることができる。
【００５８】
また、イヤホン５の装着が確認されない場合には、主制御部１９の作動が許容されているので、携帯電話本体３の設定に基いて、従来と同様にハンズフリーまたは通常の送受話を行うことができる。
【００５９】
なお、重度の難聴者向にあっては、携帯電話本体３の本体用マイク８や本体用スピーカ９を利用した送受話は困難であり、鳴動スピーカ１０からのビープ音を聞き分けることも難しいので、これらの装備を省略し、ヘッドセット２を利用したハンズフリーの送受話機能と補聴器機能に制限した構成としてもよい。
【産業上の利用可能性】
【００６０】
この発明は、携帯電話のほか、音の再生・記録・通信を扱う携帯情報端末に幅広く適用することができる。
【図面の簡単な説明】
【００６１】
【図１】本発明を適用した一実施形態の補聴機能付携帯電話の外観について示した平面図である。
【図２】イヤホンと集音器の実装例を示した概念図で、図２（ａ）は一体化して耳孔内に装着するもの、また、図２（ｂ）は耳に掛けて装着するものについて示している。
【図３】イヤホンと集音器の他の実装例を示した概念図である。
【図４】補聴機能付携帯電話の内部構成を簡略化して示した機能ブロック図である。
【図５】判定手段および切替制御部として機能するＣＰＵの処理動作について示したフローチャートである。
【符号の説明】
【００６２】
１  補聴機能付携帯電話
２  ヘッドセット
３  携帯電話本体
４  マイク
５  イヤホン
６  集音器
７  キー操作部
８  本体用マイク
９  本体用スピーカ
１０  鳴動スピーカ
１１  接続コード
１２  通話制御部
１３  音声処理部
１４  ＣＰＵ（判定手段，切替制御部）
１５  送受信部
１６  アンテナ
１７  ＲＯＭ
１８  補聴制御部
１９  主制御部
２０  鳴動制御部
２１  センサ
２２  バイブレータ
【図１】
2008219586.tif 000003
【図２】
2008219586.tif 000004
【図３】
2008219586.tif 000005
【図４】
2008219586.tif 000006
【図５】
2008219586.tif 000007